【事件の表示】
　平成　７年特許願第　２７１１２号「無線通信システム」拒絶査定に対する審判事件［平成　８年　８月３０日出願公開、特開平　８−２２３６３５］について、次のとおり審決する。
【結　論】
　本件審判の請求は、成り立たない。
【理　由】
１．手続の経緯・本願発明
　本願は、平成７年２月１５日の出願であって、その特許を受けようとする発明は、補正された明細書及び図面の記載からみて、その特許請求の範囲の請求項１に記載された次のとおりのものと認められる。（以下、本願発明、という。）
「【請求項１】　無線ゾーン毎に無線制御する基地局と、前記無線ゾーン内に存在する移動局と、当該無線ゾーン毎に配置された基地局を介して無線制御する主装置とを有し、当該主装置は、システム立ち上げ時に各基地局を識別するための基地局番号（ＣＳＮ）とシステムの運用状態を示すＳＯＮからなる識別データを各基地局毎に送出すると共に、当該基地局を介して当該基地局の無線ゾーン内に存在する各移動局に当該識別データを送出させると共に、当該識別データを受けた移動局からの当該識別データに基づく位置登録要求メッセージに応じて当該移動局の位置データを記憶する無線通信システムであって、
　前記主装置は、所定入力に応じて前記基地局に送出された識別データのうちＳＯＮのみを変更した変更識別データを各基地局に送出すると共に、各基地局を介して各無線ゾーン内の移動局に前記変更識別データを送出させ、当該移動局に当該変更識別データに基づく位置登録要求メッセージを送出させることを特徴とする無線通信システム。」
　
２．引用例の発明
　これに対して、原査定の拒絶の理由に引用された、本願出願前に頒布された刊行物である特開平５−１１０５０２号公報には、図１に示された主装置１、コンソール６、無線基地局３１，３２，…３ｎ、無線ゾーン４１，４２，…４ｎ、無線電話機５１，５２，…５ｎを備えた無線通信システムであって、コンソールから位置登録指示により位置登録でき、システム起動により位置登録できる無線通信システムが説明されており、これらのいずれの位置登録も可能な無線通信システムについて次のように記載されている。（以下、前記いずれの位置登録も可能な無線通信システムの発明を、引用例の発明、という。）
【０００３】〜【０００５】
　「【発明が解決しようとする課題】
　しかしながら、上記従来の無線電話装置では、主装置のメモリ障害復旧時や、メンテナンス時にメモリ交換を行った場合に各無線電話機の位置情報が消去されてしまうので無線電話機の位置を最新の状態にリフレッシュする必要があるにもかかわらず、位置移動しない限り位置登録されないという問題があった。
　本発明はこのような従来の無線電話装置の問題を解決するものであり、主装置からの指令により全無線電話機に対して、一斉若しくはグループ、または個別に位置情報の収集指令を出して位置情報を登録させることのできる優れた無線電話装置の位置登録方法を提供することを目的とするものである。
　また無線電話機側の判断として一定時間報知を受信できず圏外と判定した後には、従来のエリアから移動してなくても、位置登録を行うようにした優れた無線電話装置の位置登録方法を提供することを目的とする。」
【０００６】
「【課題を解決するための手段】
　請求項１に記載の発明は上記目的を達成するために主装置より無線電話装置の配下の各無線ゾーンに対して、位置登録要求を行えるようにし、かつ、各無線ゾーンからの位置登録情報を主装置に登録するようにしたものである。」
【０００９】
「請求項４に記載の発明は、主装置をシステム停止して無線電話機が一定時間報知信号を受けられずに圏外と判定した後に報知信号を受けた時に最良の無線ゾーンに対して位置登録を行うしくみとしたものである。」
【００１４】
「　次に、図２、図３とともに動作を説明する。
　図２は、本発明実施例における主装置からの制御信号の流れを示すものである。図２においてコンソール６からの位置登録指示ＳＱ１により主装置１は指令の内容に応じて関係する無線基地局全て、たとえば無線基地局３２に位置登録指示ＳＱ２を送出する。無線基地局３２は、自己の無線ゾーン４２の無線電話機５２，５２′に位置登録指示ＳＱ３を送出する。無線電話機５２は、自己のランダムなタイミングにより位置登録ＳＱ４を当該無線基地局３２に送出する。・・・無線基地局３２は位置登録ＳＱ４，ＳＱ５を受けると主装置１に位置登録ＳＱ８，ＳＱ９を通知する。主装置１は無線基地局３２から位置登録ＳＱ８，ＳＱ９を受けると主装置１内の位置メモリに記憶し、・・・」
【００１６】〜【００１８】
「もしも、いくつかの無線電話機から位置登録が行われない場合には、コンソール６よりそれに対応するグループや個別の無線電話機に対する識別信号（ＩＤ信号）を主装置１に送り、再度位置登録指示を各無線電話機のグループ単位や、個別に行うようにする。
　他の無線基地局３１，…３ｎについても全く同様にして位置登録させることができる。
　このように、メモリ障害復旧時やメモリ交換時においても、コンソール６で位置登録指示を行うことにより各無線電話機の位置情報を最新の情報にリフレッシュさせることができる。」
【００１９】、【００２０】
「　図３は第２の発明の実施例を示す。この実施例ではすべての無線電話機を一度無線ゾーン圏外とするために主装置１をシステム停止する。これにより無線基地局３２は報知信号の送出を停止する。無線電話機５２，５２′は一定時間報知信号が受からないため無線ゾーンの圏外と判定する。・・・
　こうしてすべての無線電話機が圏外判定となるまで待ってから主装置１をシステム起動すると、主装置１は無線基地局３１，３２，…３ｎに基地局起動と報知指示を出す。図３においては無線基地局３２について説明する。無線基地局３２が基地局起動ＳＱ２１および報知指示ＳＱ２２を受けると、無線基地局３２は報知ＳＱ２３を無線電話機５２，５２′に送出する。無線電話機５２，５２′は報知信号を受けると自己のランダムなタイミングで自動的に位置登録ＳＱ２４，ＳＱ２６を無線基地局３２に送出する。」
【００２３】〜【００２５】
　「【発明の効果】
　上記実施例より明らかなように請求項１乃至３に記載の発明によれば主装置から各無線電話機に対して位置登録指示を行うようにしたものであり、当該無線電話機の位置をリアルタイムに収集することができ、主装置の位置メモリのリフレッシュが容易に行われるという効果を有する。
　また請求項４に記載の発明では無線電話機を一度圏外に出し、それを検出後に自動位置登録を行うようにすることにより上記同様に主装置に位置を通知することができる。
　このように、本発明によれば、従来移動しない無線電話機は自動位置登録をして来ないため、主装置のみ位置登録が失われた場合は、当該無線電話機への着信ができなかったが、これも解決することができるという効果を有する。」
　
３．対比
　引用例の発明は、図１に示されたように、主装置１、コンソール６、無線基地局３１，３２，…３ｎ、無線ゾーン４１，４２，…４ｎ、無線電話機５１，５２，…５ｎを備えた無線通信システムであり、無線基地局、移動局である無線電話機、主装置については、無線基地局は無線ゾーン毎に無線制御をおこない、主装置は、無線ゾーン毎に配置された無線基地局を介して無線制御することは明らかであるので、本願発明の「無線ゾーン毎に無線制御する基地局と、前記無線ゾーン内に存在する移動局と、当該無線ゾーン毎に配置された基地局を介して無線制御する主装置とを有し、」の要件を備えている。
　また、引用例の発明は、主装置１をシステム停止し、すべての無線電話機が圏外判定となるまで待ってから主装置１をシステムを起動する場合に、主装置１は無線基地局３１，３２，…３ｎに基地局起動と報知指示を送出し、この基地局起動および報知指示を無線基地局３２が受けると、無線基地局３２は報知ＳＱ２３を無線電話機５２，５２′に送出し、この報知信号を無線電話機５２，５２′が受けると自動的に位置登録ＳＱ２４，ＳＱ２６（位置登録要求メッセージに相当する。）を無線基地局３２に送出し、送出された位置登録の情報は主装置に登録される。他の無線基地局３１，…３ｎについても全く同様にして位置登録が行われる。
　ここで、主装置ないし無線電話機の間の送信受信において、送信元と宛先を識別できる情報を含めることは技術的常識であって、引用例の発明の前記基地局起動ないし報知指示及び報知においても、無線基地局を識別するための基地局番号が含まれ、無線電話機から主装置への前記位置登録には無線電話機を識別するための情報と無線基地局を識別するための情報が含まれた情報を、それぞれ各基地局毎に送信受信することができると解されるので、引用例の発明は、本願発明の「当該主装置は、各基地局を識別するための基地局番号からなる識別データを各基地局毎に送出すると共に、当該基地局を介して当該基地局の無線ゾーン内に存在する各移動局に当該識別データを送出させると共に、当該識別データを受けた移動局からの当該識別データに基づく位置登録要求メッセージに応じて当該移動局の位置データを記憶する無線通信システムであって、」の要件を備えている。
　また、引用例の発明は、コンソール６からの所定入力である位置登録指示ＳＱ１により、主装置１は指令の内容に応じて関係する無線基地局全て、たとえば無線基地局３２に位置登録指示ＳＱ２を送出し、無線基地局３２は、自己の無線ゾーン４２の無線電話機５２，５２′に位置登録指示ＳＱ３を送出し、無線電話機５２は、位置登録ＳＱ４を当該無線基地局３２に送出する。無線基地局３２は位置登録ＳＱ４，ＳＱ５を受けると主装置１に位置登録ＳＱ８，ＳＱ９を通知し、主装置１は受け取った位置登録ＳＱ８，ＳＱ９を主装置１内の位置メモリに記憶する。
　ここで、前記のように、主装置、無線基地局、ないし無線電話機との間で送受される情報に、関係する各基地局を識別するための基地局番号を含めることができ、無線電話機から該無線電話機を識別するための識別番号及び基地局番号を含めることができると解される点を踏まえると、引用例の発明は、本願発明の「前記主装置は、所定入力に応じて前記基地局に送出された識別データを各基地局に送出すると共に、各基地局を介して各無線ゾーン内の移動局に前記識別データを送出させ、当該移動局に当該識別データに基づく位置登録要求メッセージを送出させることを特徴とする無線通信システム」の要件を備えている。
　したがって、引用例の発明と本願発明とは次の要件を備えた点で一致し、そして、次の（１）、（２）、（３）の要件の点で相違する。
［一致点］
「無線ゾーン毎に無線制御する基地局と、前記無線ゾーン内に存在する移動局と、当該無線ゾーン毎に配置された基地局を介して無線制御する主装置とを有し、当該主装置は、各基地局を識別するための基地局番号からなる識別データを各基地局毎に送出すると共に、当該基地局を介して当該基地局の無線ゾーン内に存在する各移動局に当該識別データを送出させると共に、当該識別データを受けた移動局からの当該識別データに基づく位置登録要求メッセージに応じて当該移動局の位置データを記憶する無線通信システムであって、
　前記主装置は、所定入力に応じて前記基地局に送出された識別データを各基地局に送出すると共に、各基地局を介して各無線ゾーン内の移動局に前記識別データを送出させ、当該移動局に当該変更識別データに基づく位置登録要求メッセージを送出させることを特徴とする無線通信システム。」
［相違点］
（１）主装置が、各基地局を識別するための識別データを各基地局毎に送出するのが、本願発明は、システム立ち上げ時に、であるのに対し、引用例の発明は、起動時に、である点。
（２）各基地局毎に送出する識別データは、本願発明は、基地局番号とシステムの運用状態を示すＳＯＮからなる識別データであるのに対し、引用例の発明は、基地局起動、報知指示、報知及び位置登録の内容については具体的に示されていない点。
（３）所定入力に応じて各基地局に送出され、該基地局を介して移動局に送出され、移動局が識別データに基づく位置登録要求メッセージを送出するデータが、本願発明は、前記識別データのうちＳＯＮのみを変更した変更識別データであるのに対し、引用例の発明は、位置登録指示のデータである点。
　
４．相違点についての当審判断
（１）位置データを記憶する位置登録をシステム立ち上げ時に行うことは本願出願前周知の技術であるから、引用例の発明において、システム停止後のシステム起動時に位置データを記憶するところを、システム立ち上げ時に位置データを記憶することは当業者が容易になし得ることである。
（２）主装置に相当する制御局が移動端末に、基地局を介して周期的に送信する報知起動信号とは別の強制的に位置登録信号を送信させる情報を送ることにより、移動端末が必ず位置登録にかかる送信を行うようにする場合に、報知起動信号と強制報知起動信号とは同一フォーマットのデータとし、同一フォーマット中の特定ビットを変えるか、または空き領域にビットを付加して行う技術は、本願出願前に移動体通信の分野において周知の技術（例えば特開平４−１６７６３０号公報２頁左下欄６行〜１６行、３頁右上欄１３行〜１６行参照。）であり、また、システム立ち上げ時に、運用する基地局をシステム編成するなどのために主装置から基地局に運用状態を示す識別データを送信して知らせることができることも技術常識と認められるから、引用例の発明において、これらの技術を参酌し、報知の信号として基地局番号と識別データとすること、ないし該識別データとしてシステムの運用状態を示すＳＯＮからなる識別データとすることは当業者が容易になし得ることである。
（３）前記のように、報知起動信号と強制報知起動信号とは同一フォーマットとし、同一フォーマット中の特定ビットを変えるか、または空き領域にビットを付加するだけとする位置登録の技術は、本願出願前に移動体通信の分野において周知の技術といえるから、引用例の発明の位置登録指示において、前記周知の技術を参酌して、報知の識別データのうち特定ビットのみを変えて、変更した変更識別データとすることは当業者が容易になし得ることである。
　
５．むすび
　したがって、本願発明は、引用例に記載された発明及び本願出願前周知の技術に基いて、当業者が容易に発明をすることができたものであるので、特許法第２９条第２項の規定により特許を受けることができない。
　よって、結論のとおり審決する。